(57)【要約】【課題】ユーザの設定手間を軽減して使い勝手の向上を図る。【解決手段】ディスクレコーダ１００は、送信映像信号を、ＨＤＭＩに準拠した通信により、ＨＤＭＩ送信部１０２からＨＤＭＩケーブル３００を介して、プロジェクタ２００に送信する。プロジェクタ２００は、受信映像信号に対して画質調整等の処理を行って、当該受信画像信号による画像表示を行う。ディスクレコーダ１００のイーサネット送受信回路１０４と、プロジェクタ２００のイーサネット送受信回路２０４との間で、ＨＤＭＩケーブル３００の一対の差動伝送路により構成される通信路を介して、インターネットプロトコル（ＩＰ）に準拠した双方向通信を行う。ディスクレコーダ１００からプロジェクタ２００には、送信映像信号に対応する画質調整情報が送られる。プロジェクタ２００においては、受信された画質調整情報に基づいて画質調整値の設定を自動的に行う。【選択図】図１
2010246057.tif 000002
【特許請求の範囲】
【請求項１】
映像信号を複数チャネルで、差動信号により、伝送路を介して外部機器に送信する映像信号送信部と、
上記映像信号送信部で送信する映像信号に対応する画質調整情報を、上記伝送路に含まれる一対の差動伝送路により構成される通信路を介して、上記外部機器に送信する情報送信部と
を備える送信装置。
【請求項２】
上記映像信号に対応する画質調整情報を、該映像信号のコンテンツ内容に基づいて出力する情報出力部をさらに備える
請求項１に記載の送信装置。
【請求項３】
上記画質調整情報は、少なくとも、色域、色温度またはガンマ特性のいずれかの情報を含む
請求項２に記載の送信装置。
【請求項４】
上記映像信号に対応する画質調整情報は、上記映像信号送信部で送信される映像信号がアナログ放送の映像信号であるか否かを示す情報である
請求項１に示す送信装置。
【請求項５】
上記外部機器から、上記通信路を介して、上記映像信号の処理に関係する設定情報を受信する情報受信部と、
上記情報受信部で受信された上記設定情報に基づいて、上記映像信号送信部で送信する映像信号を処理する信号処理部をさらに備える
請求項１に記載の送信装置。
【請求項６】
外部機器から、複数チャネルで、差動信号により、伝送路を介して映像信号を受信する映像信号受信部と、
上記映像信号受信部で受信された映像信号を処理する信号処理部と、
上記信号処理部で処理された映像信号による画像を表示する表示部と、
上記信号処理部における映像信号の処理に関係する設定情報を、上記伝送路に含まれる一対の差動伝送路により構成される通信路を介して、上記外部機器に送信する情報送信部と
を備える表示装置。
【請求項７】
上記外部機器から上記通信路を介して、上記映像信号受信部で受信される映像信号に対応する画質調整情報を受信する情報受信部と、
上記情報受信部で受信された画質調整情報に基づいて、上記信号処理部における上記映像信号受信部で受信される映像信号に対する画質調整値の設定を行う制御部とをさらに備える
請求項６に記載の表示装置。
【請求項８】
送信装置および表示装置が伝送路を介して接続されてなる画像表示システムであって、
上記送信装置は、
映像信号を複数チャネルで、差動信号により、伝送路を介して上記表示装置に送信する映像信号送信部と、
上記映像信号送信部で送信する映像信号に対応する画質調整情報を、上記伝送路に含まれる一対の差動伝送路により構成される通信路を介して、上記表示装置に送信する情報送信部と、
上記外部機器から、上記通信路を介して、上記映像信号の処理に関係する設定情報を受信する情報受信部と、
上記情報受信部で受信された上記設定情報に基づいて、上記映像信号送信部で送信する映像信号を処理する信号処理部とを有し、
上記表示装置は、
上記送信装置から、複数チャネルで、差動信号により、上記伝送路を介して映像信号を受信する映像信号受信部と、
上記映像信号受信部で受信された映像信号を処理する信号処理部と、
上記信号処理部で処理された映像信号による画像を表示する表示部と、
上記信号処理部における映像信号の処理に関係する設定情報を、上記通信路を介して、上記送信装置に送信する情報送信部と、
上記送信装置から上記通信路を介して、上記映像信号受信部で受信される映像信号に対応する画質調整情報を受信する情報受信部と、
上記情報受信部で受信された画質調整情報に基づいて、上記信号処理部における上記映像信号受信部で受信される映像信号に対する画質調整値の設定を行う制御部とを有する
画像表示システム。
【発明の詳細な説明】
【技術分野】
【０００１】
この発明は、送信装置、表示装置および画像表示システムに関し、特に、プロジェクタシステム等の画像表示システムに適用して好適な送信装置等に関する。
【背景技術】
【０００２】
従来、送信装置から表示装置に映像信号を送信し、この表示装置に映像信号による画像を表示する画像表示システムが知られている。ここで、送信装置は、例えば、ＤＶＤ(Digital Versatile Disc)レコーダ、セットトップボックス、その他のＡＶソース（Audio Visual source）により構成される。また、表示装置は、例えば、テレビ受信機、プロジェクタ、その他のディスプレイにより構成される。
【０００３】
近年、このような画像表示システムにおいて、送信装置と表示装置との間で非圧縮のデジタル映像信号を高速に伝送する通信インタフェースとして、ＨＤＭＩ(High Definition Multimedia Interface)が普及しつつある。例えば、特許文献１には、ＨＤＭＩ規格の詳細についての記載がある。
【先行技術文献】
【特許文献】
【０００４】
【特許文献１】ＷＯ２００２／０７８３３６号公報
【発明の概要】
【発明が解決しようとする課題】
【０００５】
上述の画像表示システムにおいて、テレビ受信機、プロジェクタなどの表示装置にあっては、一般に、ユーザが画質調整、さらには、表示画像のアスペクト設定、ノイズリダクションのオンオフ設定等を行い得るようになっている。
【０００６】
ユーザにより表示装置において設定される画質調整値は、送信装置からの映像信号が特定のコンテンツ内容である場合の最適値である。したがって、送信装置からの映像信号のコンテンツ内容が画質調整時のコンテンツ内容と異なる場合、ユーザは、再度画質調整値の設定を行うことが必要となる。例えば、映像信号のコンテンツ内容には、「映画」、「静止画」、「アニメ」、「スポーツ」等がある。
【０００７】
また、例えば、送信装置から表示装置に送信される映像信号がアナログ放送の映像信号である場合、ユーザが表示装置においてノイズリダクションをオン設定にしなければ、ノイズを除去できないことになる。
【０００８】
また、例えば、ユーザにより表示装置において表示画像のアスペクト設定が行われた場合、ユーザが送信装置において送信映像信号のアスペクトを表示装置における設定アスペクトに対応させなければ、表示装置における間引き、スケーリング等の処理を容易とできないことになる。
【０００９】
また、例えば、ユーザにより表示装置においてノイズリダクションのオフ設定が行われた場合、映像信号がアナログ放送の映像信号であってノイズリダクション処理が必要であるとき、ユーザが送信装置においてノイズリダクションのオン設定をしなければ、ノイズを除去できないことになる。
【００１０】
この発明の目的は、ユーザの設定手間を軽減して使い勝手の向上を図ることにある。
【課題を解決するための手段】
【００１１】
この発明の概念は、
映像信号を複数チャネルで、差動信号により、伝送路を介して外部機器に送信する映像信号送信部と、
上記映像信号送信部で送信する映像信号に対応する画質調整情報を、上記伝送路に含まれる一対の差動伝送路により構成される通信路を介して、上記外部機器に送信する情報送信部と
を備える送信装置にある。
【００１２】
また、この発明の概念は、
外部機器から、複数チャネルで、差動信号により、伝送路を介して映像信号を受信する映像信号受信部と、
上記映像信号受信部で受信された映像信号を処理する信号処理部と、
上記信号処理部で処理された映像信号による画像を表示する表示部と、
上記信号処理部における映像信号の処理に関係する設定情報を、上記伝送路に含まれる一対の差動伝送路により構成される通信路を介して、上記外部機器に送信する情報送信部と
を備える表示装置にある。
【００１３】
この発明において、送信装置は、映像信号を、複数のチャネルで、差動信号により、伝送路を介して、外部機器（表示装置）に送信する映像信号送信部を備えるものであり、例えば、ＨＤＭＩのソース機器である。この送信装置には、映像信号送信部で送信される映像信号に対応する画質調整情報を外部機器（表示装置置）に送信する情報送信部が備えられている。この場合、伝送路に含まれる一対の差動伝送路により構成される通信路を介して画質調整情報の送信が行われる。例えば、一対の差動伝送路は、ＨＤＭＩケーブルを構成するリザーブラインおよびＨＰＤラインにより構成される。
【００１４】
例えば、画質調整情報は、映像信号送信部で送信される映像信号のコンテンツ内容に対応した情報とされる。例えば、映像信号のコンテンツ内容には、「映画」、「静止画」、「アニメ」、「スポーツ」等がある。この画質調整情報には、例えば、少なくとも、色域、色温度またはガンマ特性のいずれかの情報が含まれる。
【００１５】
このように情報送信部で送信される画質調整情報は、例えば、映像信号のコンテンツ内容に基づいて、情報出力部から出力される。ここで、映像信号のコンテンツ内容の情報は、例えば、映像信号に付加されているメタデータから自動的に取得され、あるいは、ユーザによりユーザ操作部から入力される。このように情報出力部が備えられることで、映像信号のコンテンツ内容の情報があれば、外部機器にその映像信号に対応した画質調整情報を送信することが可能となる。情報出力部は、例えば、コンテンツ内容と画質調整情報との対応関係を示すテーブルを有し、このテーブルが参照されて、コンテンツ内容に対応した画質調整情報が出力される。
【００１６】
また、例えば、画質調整情報はその映像信号がアナログ放送の映像信号であるか否かを示す情報とされる。この場合の画質調整情報は、アナログ放送の映像信号であるか否かを直接的に示す情報、あるいは受信チャネル情報などのアナログ放送の映像信号であるか否かを間接的に示す情報であってもよい。
【００１７】
上述したように、送信装置から外部機器（表示装置）に送信される映像信号に対応する画質調整情報が、この送信装置から外部機器に送信される。そのため、外部機器においては、この画質調整情報に基づいて、送信されてくる映像信号に合った画質調整値の設定を自動的に行うことができ、ユーザの設定手間を軽減できる。この場合、画質調整情報は、映像信号の送信に使用される伝送路に含まれる一対の差動伝送路により構成される通信路を介して送信されるものであり、画質調整情報を送信するために別個のケーブル等を用意する必要がない。
【００１８】
また、表示装置は、外部機器（送信装置）から、複数チャネルで、差動信号により、伝送路を介して、映像信号を受信する映像信号受信部を備えるものであり、例えば、ＨＤＭＩのシンク機器である。映像信号受信部で受信された映像信号は信号処理部で処理され、処理後の映像信号による画像が表示部に表示される。この表示装置には、信号処理部における映像信号の処理に関係する設定情報を外部機器（送信装置）に、上述の伝送路に含まれる一対の差動伝送路で構成される通信路により送信する情報送信部が備えられている。
【００１９】
信号処理部の設定情報は、例えば、表示画像のアスペクト設定の情報である。信号処理部では、設定されたアスペクトの画像が表示部に表示されるように、間引き処理、スケーリング処理が行われる。また、信号処理の設定情報は、例えば、ノイズリダクションのオンオフの設定情報である。
【００２０】
上述したように、表示装置から外部機器（送信装置）に、信号処理に関係する設定情報が送信される。そのため、外部機器においては、その設定情報に基づいて、自動的に、表示装置に送信する映像信号に対する処理を変更でき、ユーザの設定手間を軽減できる。
【００２１】
例えば、ユーザにより表示装置において表示画像のアスペクト設定が行われた場合、外部機器（送信装置）ではその設定情報に基づいて、送信映像信号のアスペクトを自動的に表示装置における設定アスペクトに対応させることができ、これにより、表示装置における間引き処理、スケーリング等の処理も容易となる。また、例えば、ユーザにより表示装置においてノイズリダクションのオフ設定が行われた場合、外部機器（送信装置）ではその設定情報に基づいて、例えばアナログ放送の映像信号に対して、自動的に、ノイズリダクション処理が行われて、ノイズが除去される。
【００２２】
また、信号処理部における映像信号の処理に関係する設定情報は、映像信号の受信に使用される伝送路に含まれる一対の差動伝送路により構成される通信路で送信されるものであり、信号処理部の設定情報を送信するための別個のケーブル等を用意する必要がない。
【発明の効果】
【００２３】
この発明による送信装置によれば、外部機器に送信される映像信号に対応する画質調整情報を外部機器に送信できるため、外部機器においては、この画質調整情報に基づいて、送信されてくる映像信号に合った画質調整値の設定を自動的に変更でき、ユーザの設定手間を軽減できる。また、この発明による送信装置によれば、画質調整情報は、映像信号の送信に使用される伝送路に含まれる一対の差動伝送路により構成される通信路で送信するため、画質調整情報を送信するために別個のケーブル等を用意する必要はない。
【００２４】
また、この発明による表示装置によれば、表示装置から外部機器（送信装置）に、映像信号の処理に関係する設定情報が送信される。そのため、外部機器においては、信号処理部の設定情報に基づいて、自動的に、表示装置に送信する映像信号に対する処理を変更でき、ユーザの設定手間を軽減できる。また、この発明による表示装置によれば、信号処理部の設定情報は、映像信号の受信に使用される伝送路に含まれる一対の差動伝送路により構成される通信路で送信するため、信号処理部の設定情報を送信するために別個のケーブル等を用意する必要はない。
【図面の簡単な説明】
【００２５】
【図１】第１の実施の形態としての画像表示システムの構成例を示すブロック図である。
【図２】画像表示システムを構成するディスクレコーダの構成例を示すブロック図である。
【図３】コンテンツ内容と画質調整情報との対応関係のテーブルの一例を示す図である。
【図４】画像表示システムを構成するプロジェクタの構成例を示すブロック図である。
【図５】ＨＤＭＩ送信部（ＨＤＭＩソース）とＨＤＭＩ受信部（ＨＤＭＩシンク）の構成例を示すブロック図である。
【図６】ＨＤＭＩトランスミッタとＨＤＭＩレシーバの構成例を示すブロック図である。
【図７】ＴＭＤＳ伝送データの構造を示す図である。
【図８】ＨＤＭＩ端子のピン配列（タイプＡ）を示す図である。
【図９】ソース機器とシンク機器との間でＬＡＮ通信を行う通信部の構成例を示す接続図である。
【図１０】第２の実施の形態としての画像表示システムの構成例を示すブロック図である。
【図１１】画像表示システムを構成するパーソナルコンピュータの構成例を示すブロック図である。
【発明を実施するための形態】
【００２６】
以下、発明を実施するための形態（以下、「実施の形態」とする）について説明する。なお、説明は以下の順序で行う。
１．第１の実施の形態
２．第２の実施の形態
３．変形例
【００２７】
＜１．第１の実施の形態＞
［画像表示システムの構成］
図１は、第１の実施の形態としての画像表示システム５０の構成例を示している。この画像表示システム５０は、ソース機器としてのディスクレコーダ１００と、シンク機器としてのプロジェクタ２００により構成されている。ここで、ディスクレコーダ１００は送信装置を構成し、プロジェクタ２００は表示装置を構成している。この画像表示システム５０において、ディスクレコーダ１００およびプロジェクタ２００はｅＨＤＭＩ対応機器である。ここで、ｅＨＤＭＩ対応機器であるとは、ＨＤＭＩケーブルに含まれる一対の差動伝送路（例えばリザーブラインおよびＨＰＤライン）により構成される通信路を用いた通信が可能であることを意味する。
【００２８】
ディスクレコーダ１００およびプロジェクタ２００は、ＨＤＭＩケーブル３００を介して接続されている。ここで、ＨＤＭＩケーブル３００は、伝送路を構成している。すなわち、ディスクレコーダ１００はＨＤＭＩ端子１０１を備えており、プロジェクタ２００はＨＤＭＩ端子２０１を備えている。ＨＤＭＩケーブル３００の一端はディスクレコーダ１００のＨＤＭＩ端子１０１に接続され、このＨＤＭＩケーブル３００の他端はプロジェクタ２００のＨＤＭＩ端子２０１に接続されている。
【００２９】
ディスクレコーダ１００は、ＨＤＭＩ端子１０１に接続された、ＨＤＭＩ送信部１０２および高速データラインインタフェース（Ｉ／Ｆ）１０３を有している。高速データラインＩ／Ｆ１０３には、イーサネット送受信回路１０４が接続されている。ＨＤＭＩ送信部１０２は、ＨＤＭＩに準拠した通信により、非圧縮（ベースバンド）の映像（画像）と音声のデータを、ＨＤＭＩ端子１０１から送出する。このＨＤＭＩ送信部１０２の詳細は後述する。
【００３０】
高速データラインＩ／Ｆ１０３は、ＨＤＭＩケーブル３００に含まれる一対の差動伝送路により構成された通信路を介して伝送されるイーサネット信号を、イーサネット送受信回路１０４とＨＤＭＩケーブル３００との間でインタフェースする。通信路を構成する一対の差動伝送路は、例えば、後述するように、ＨＤＭＩケーブル３００を構成するリザーブラインおよびＨＰＤラインである。高速データラインＩ／Ｆ１０３の詳細は後述する。なお、「イーサネット」は登録商標である。
【００３１】
イーサネット送受信回路１０４は、イーサネット信号を送受信するための回路であり、例えばインターネットプロトコル（ＩＰ）に準拠した双方向通信を行う。この場合、インターネットプロトコル（ＩＰ）の上位層としては、ＴＣＰ（Transmission Control Protocol）、あるいはＵＤＰ（UserDatagram Protocol）を用いることができる。
【００３２】
プロジェクタ２００は、ＨＤＭＩ端子２０１に接続された、ＨＤＭＩ受信部２０２および高速データラインインタフェース（Ｉ／Ｆ）２０３を有している。高速データラインＩ／Ｆ２０３には、イーサネット送受信回路２０４が接続されている。ＨＤＭＩ受信部２０２は、ＨＤＭＩに準拠した通信により、非圧縮（ベースバンド）の映像（画像）と音声のデータを、ＨＤＭＩ端子２０１を通じて受信する。このＨＤＭＩ受信部２０２の詳細は後述する。
【００３３】
高速データラインＩ／Ｆ２０３は、上述のディスクレコーダ１００の高速データラインＩ／Ｆ１０３と同様に、上述の通信路を介して伝送されるイーサネット信号を、イーサネット送受信回路２０４とＨＤＭＩケーブル３００との間でインタフェースする。高速データラインＩ／Ｆ２０３の詳細は後述する。イーサネット送受信回路２０４は、上述のディスクレコーダ１００のイーサネット送受信回路１０４と同様に、イーサネット信号を送受信するための回路であり、例えばインターネットプロトコル（ＩＰ）に準拠した双方向通信を行う。
【００３４】
図１に示す画像表示システム５０の動作を説明する。ディスクレコーダ１００からプロジェクタ２００に送信すべき映像および音声のデータは、ＨＤＭＩに準拠した通信により、ディスクレコーダ１００のＨＤＭＩ送信部１０２からＨＤＭＩケーブル３００を介してプロジェクタ２００に送信される。また、プロジェクタ２００のＨＤＭＩ受信部２０２では、ＨＤＭＩに準拠した通信により、ディスクレコーダ１００からＨＤＭＩケーブル３００を介して送られてくる映像および音声のデータが受信される。プロジェクタ２００では、受信された映像および音声のデータにより画像表示および音声出力が行われる。
【００３５】
また、ディスクレコーダ１００のイーサネット送受信回路１０４と、プロジェクタ２００のイーサネット送受信回路２０４との間で、ＨＤＭＩケーブル３００を介して、インターネットプロトコル（ＩＰ）に準拠した双方向通信が行われる。
【００３６】
この実施の形態において、イーサネット送受信回路１０４からイーサネット送受信回路２０４には、上述したようにＨＤＭＩ送信部１０２からＨＤＭＩ受信部２０２に送信される映像信号に対応する画質調整情報が送られる。プロジェクタ２００においては、イーサネット送受信回路２０４で受信された上述の画質調整情報に基づいて、図示しない受信映像信号の処理部における画質調整値が、受信映像信号に対応した値に設定される。ここで、イーサネット送受信回路１０４は情報送信部を構成し、イーサネット送受信回路２０４は情報受信部を構成している。
【００３７】
また、この実施の形態において、イーサネット送受信回路２０４からイーサネット送受信回路１０４には、プロジェクタ２００の図示しない映像信号処理部における映像信号の処理に関係する設定情報が送られる。ディスクレコーダ１００においては、イーサネット送受信回路１０４で受信された設定情報に基づいて、図示しない送信映像信号の処理部における処理が変更される。ここで、イーサネット送受信回路２０４は情報送信部を構成し、イーサネット送受信回路１０４は情報受信部を構成している。
【００３８】
［ディスクレコーダの構成］
図２は、ディスクレコーダ１００の構成例を示している。ディスクレコーダ１００は、ＨＤＭＩ端子１０１と、ＨＤＭＩ送信部１０２と、高速データラインＩ／Ｆ１０３と、イーサネット送受信回路１０４とを有している。また、ディスクレコーダ１００は、制御部１１１と、ユーザ操作部１１２と、表示部１１３と、ネットワーク端子１１４を有している。また、ディスクレコーダ１００は、アンテナ端子１１５と、チューナ１１６と、コーデック１１７と、記録再生部１１８と、映像信号処理部１２０を有している。
【００３９】
制御部１１１は、ディスクレコーダ１００の各部の動作を制御する。ユーザ操作部１１２および表示部１１３は、ユーザインタフェースを構成し、制御部１１１に接続されている。ユーザ操作部１１２は、ディスクレコーダ１００の図示しない筐体に配置されたキー、釦、ダイアル、あるいは表示部１１３の表示面に配置されたタッチパネル、さらにはリモコンの送受信機等で構成されている。表示部１１３は、ＬＣＤ(Liquid Crystal Display)等で構成されている。
【００４０】
チューナ１１６は、アンテナ端子１１５に接続された図示しないアンテナで捕らえられた放送信号に基づいて、アナログ放送およびデジタル放送を受信する。ユーザは、ユーザ操作部１１２を操作して、チューナ１１６における受信チャネルの設定、チューナ１１６で受信すべき映像信号のコンテンツ内容（ジャンル）の設定等を行うことができる。
【００４１】
記録再生部１１８は、コーデック１１７から供給されるエンコードデータを記録媒体１１９に記録する。このエンコードデータは、例えば、ＭＰＥＧ(Moving Picture Experts Group)方式等でエンコードして得られたデータである。なお、記録媒体１１９は、例えば、ＨＤ（Hard Disk）、ＤＶＤ（Digital Versatile Disc）、ＢＤ(Blu-ray Disc)等である。また、記録再生部１１８は、記録媒体１１９からエンコードデータを再生し（読み出し）、コーデック１１７に供給する。
【００４２】
コーデック１１７は、記録再生部１１８で再生されたエンコードデータをデコードして、非圧縮（ベースバンド）の映像信号を得て、必要に応じて、外部端子１２１を通じて図示しない外部装置に供給する。また、コーデック１１７は、チューナ１１６から、あるいは外部端子１２１から供給される非圧縮の映像信号を、エンコードデータにエンコードして、記録再生部１１８に供給する。ここで、外部装置は、ＨＤレコーダ、パーソナルコンピュータ、ＤＶＤ(Digital Versatile Disc)プレーヤ、ビデオカメラ等である。
【００４３】
また、コーデック１１７は、ＨＤＭＩインタフェースを用いて送信する際に、非圧縮の映像信号を、映像信号処理部１２０に出力する。この場合の非圧縮の映像信号は、チューナ１１６あるいは外部端子１２１から供給される非圧縮の映像信号、またはコーデック１１７でデコードして得られた非圧縮の映像信号である。映像信号処理部１２０は、送信映像信号に対してアスペクト変換処理、ノイズリダクション処理等の処理を行う。ユーザは、ユーザ操作部１１２を操作して、映像信号処理部１２０におけるアスペクト設定、ノイズリダクションのオンオフ設定等を行うことができる。
【００４４】
ＨＤＭＩ送信部１０２は、ＨＤＭＩに準拠した通信により、映像信号処理部１２０で処理された非圧縮の映像信号を、ＨＤＭＩケーブル３００を介して、プロジェクタ２００に一方向に送信する。ここで、ＨＤＭＩ送信部１０２は映像信号送信部を構成している。このＨＤＭＩ送信部１０２の詳細は後述する。
【００４５】
高速データラインＩ／Ｆ１０３は、上述したように、ＨＤＭＩケーブル３００に含まれる一対の差動伝送路（リザーブラインおよびＨＰＤライン）により構成される通信路を用いた双方向通信のインタフェースである。この高速データラインＩ／Ｆ１０３は、制御部１１１に接続されたイーサネット送受信回路１０４とＨＤＭＩ端子１０１との間に挿入されている。
【００４６】
この高速データラインＩ／Ｆ１０３は、制御部１１１からイーサネット送受信回路１０４を介して供給される送信データを、ＨＤＭＩ端子１０１からＨＤＭＩケーブル３００を介して、プロジェクタ２００に送信する。また、この高速データラインＩ／Ｆ１０３は、ＨＤＭＩケーブル３００からＨＤＭＩ端子１０１を介して受信されたプロジェクタ２００からの受信データを、イーサネット送受信回路１０４を介して制御部１１１に供給する。この高速データラインＩ／Ｆ１０３の詳細は後述する。
【００４７】
なお、イーサネット送受信回路１０４には、ネットワーク端子１１４が接続されている。ディスクレコーダ１００は、このネットワーク端子１１４を利用して、イーサネットのネットワークに接続可能とされている。
【００４８】
この実施の形態において、ディスクレコーダ１００からプロジェクタ２００に送信される送信データとして、ＨＤＭＩ送信部１０２からの送信映像信号に対応する画質調整情報がある。制御部１１１は、送信映像信号に対応する画質調整情報をイーサネット送受信回路１０４に出力し、この画質調整情報をプロジェクタ２００に送信する。
【００４９】
画質調整情報の一例として、送信映像信号のコンテンツ内容に対応した情報がある。ここで、映像信号のコンテンツ内容には、例えば、「映画」、「静止画」、「アニメ」、「スポーツ」等がある。この画質調整情報としては種々の情報が考えられるが、この実施の形態においては色域、色温度およびガンマ特性の情報である。
【００５０】
制御部１１１は、内蔵する記憶部１１１ａに、例えば図３に示すような、コンテンツ内容と画質調整情報との対応関係を示すテーブルを有している。制御部１１１は、送信映像信号のコンテンツ内容の情報に基づき、このテーブルを参照して、画質調整情報としての色域、色温度およびガンマ特性の情報を、イーサネット送受信回路１０４に、送信データとして出力する。この意味で、制御部１１１は、映像信号に対応する画質調整情報を、その映像信号のコンテンツ内容に基づいて出力する情報出力部を構成している。
【００５１】
図３に示すコンテンツ内容と画質調整情報との対応関係について簡単に説明する。色域については、「静止画」のコンテンツの場合はｓＲＧＢ色域が理想だが、「映画」等の動画のコンテンツの場合はより広いＮＴＳＣ色域が理想である。そのため、「静止画」はｓＲＧＢ色域とし、「アニメ」、「スポーツ」、「映画」はＮＴＳＣ色域としている。
【００５２】
色温度（ホワイトバランス）については、「アニメ」等の明るいコンテンツでは高い色温度が理想であり、「映画」等の人肌の多い少し暗めのコンテンツでは低い色温度が理想である。そのため、「アニメ」は高い色温度とし、「映画」は低い色温度とし、「静止画」、「スポーツ」は中程度の色温度としている。
【００５３】
ガンマ特性については、「アニメ」、「静止画」、「スポーツ」等の明るく、黒側の階調が重要ではないコンテンツでは低輝度側のガンマ特性は沈んでいてもよい。しかし、「映画」等の黒側の階調が重要なコンテンツでは低輝度側のガンマ特性をある程度立たせる必要がある。そのため、「アニメ」、「静止画」、「スポーツ」は低輝度側が圧縮されたガンマ特性とし、「映画」は低輝度側が伸長したガンマ特性としている。
【００５４】
なお、制御部１１１は、コンテンツ内容の情報を取得する必要がある。例えば、送信映像信号がチューナ１１６からの受信映像信号、あるいは記録再生部１１８からの再生映像信号である場合、その映像信号に付加されているメタデータに含まれている場合には、そのメタデータから自動的に取得できる。
【００５５】
制御部１１１は、送信映像信号のコンテンツ内容情報を自動的に取得できない場合、ユーザ操作部１１２からのユーザ入力により送信映像信号のコンテンツ内容情報を取得できる。この場合、制御部１１１は、送信映像信号のコンテンツ内容情報を取得できない旨を表示部１１３に表示し、ユーザにその入力を促すようにしてもよい。
【００５６】
制御部１１１は、上述の送信映像信号のコンテンツ内容に対応した情報に関しては、例えば、定期的に、あるいは送信映像信号のコンテンツ内容が変更される場合等に、プロジェクタ２００に送信する。例えば、送信映像信号のコンテンツ内容が変更される場合として、送信映像信号がチューナ１１６からの受信映像信号であって、チューナ１１６の受信チャネルが変更される場合がある。
【００５７】
また、例えば、送信映像信号のコンテンツ内容が変更される場合として、送信映像信号が記録再生部１１８からの再生映像信号であって、再生コンテンツが変更される場合がある。また、例えば、送信映像信号のコンテンツ内容が変更される場合として、送信映像信号のソース（チューナ１１６、記録再生部１１８、外部端子１２１）が切り換えられる場合がある。
【００５８】
なお、図３に示すコンテンツ内容と画質調整情報との対応関係では、例えば「映画」を一括りで表している。しかし、一本の映画内にあっても、動きのある場面、静止場面、明るい場面、暗い場面等に種々にシーンが変化していく。そのため、例えば「映画」にあっては、コンテンツ内容をさらに細分化し、制御部１１１は、シーン毎に、細分化したコンテンツ内容に対応した情報を出力して、プロジェクタ２００に送信するようにしてもよい。
【００５９】
画質調整情報の他の例として、送信映像信号がアナログ放送の映像信号であるか否かを示す情報がある。この場合の画質調整情報は、アナログ放送の映像信号であるか否かを直接的に示す情報、あるいはチューナ１１６の受信チャネル情報などのアナログ放送の映像信号であるか否かを間接的に示す情報であってもよい。
【００６０】
制御部１１１は、上述の送信映像信号がアナログ放送の映像信号であるか否かを示す情報を、例えば、定期的に、あるいは送信映像信号のコンテンツ内容が変更される場合等に、プロジェクタ２００に送信する。
【００６１】
また、この実施の形態において、ディスクレコーダ１００がプロジェクタ２００から受信する受信データとして、プロジェクタ２００における映像信号の処理に関係する設定情報がある。制御部１１１は、プロジェクタ２００から送られてくる映像信号の処理に関係する設定情報を、イーサネット送受信回路１０４から取得する。この設定情報の一例として、表示画像のアスペクト設定の情報がある。また、この設定情報の他の例として、ノイズリダクションのオンオフ設定の情報がある。
【００６２】
制御部１１１は、上述したようにプロジェクタ２００から受信された設定情報に基づいて、映像信号処理部１２０の動作を制御する。例えば、受信された設定情報が表示画像のアスペクト設定の情報である場合、映像信号処理部１２０において、送信映像信号のアスペクトを表示画像のアスペクトに対応させる。また、例えば、受信された設定情報がノイズリダクションのオフ設定情報である場合、送信映像信号がアナログ放送の映像信号であるとき、映像信号処理部１２０においてノイズリダクション処理が行われるように制御する。
【００６３】
［プロジェクタの構成］
図４は、プロジェクタ２００の構成例を示している。プロジェクタ２００は、ＨＤＭＩ端子２０１と、ＨＤＭＩ受信部２０２と、高速データラインＩ／Ｆ２０３と、イーサネット送受信回路２０４とを有している。また、プロジェクタ２００は、制御部２１１と、ユーザ操作部２１２と、ネットワーク端子２１３と、映像信号処理部２１４と、映像信号調整部２１５と、表示部２１６を有している。
【００６４】
制御部２１１は、プロジェクタ２００の各部の動作を制御する。ユーザ操作部２１２は、ユーザインタフェースを構成し、制御部２１１に接続されている。ユーザ操作部２１２は、プロジェクタ２００の図示しない筐体に配置されたキー、釦、ダイアル、あるいはリモコン等で構成される。
【００６５】
ＨＤＭＩ受信部２０２は、ＨＤＭＩに準拠した通信により、ＨＤＭＩケーブル３００を介して、ディスクレコーダ１００から一方向に送信されてくる映像信号を受信する。ここで、ＨＤＭＩ受信部２０２は、映像信号受信部を構成している。このＨＤＭＩ受信部２０２の詳細は後述する。
【００６６】
高速データラインＩ／Ｆ２０３は、上述したように、ＨＤＭＩケーブル３００に含まれる一対の差動伝送路（リザーブラインおよびＨＰＤライン）により構成される通信路を用いた双方向通信のインタフェースである。この高速データラインＩ／Ｆ２０３は、制御部２１１に接続されたイーサネット送受信回路２０４とＨＤＭＩ端子２０１との間に挿入されている。
【００６７】
この高速データラインＩ／Ｆ２０３は、制御部２１１からイーサネット送受信回路２０４を介して供給される送信データを、ＨＤＭＩ端子２０１からＨＤＭＩケーブル３００を介して、ディスクレコーダ１００に送信する。また、この高速データラインＩ／Ｆ２０３は、ＨＤＭＩケーブル３００からＨＤＭＩ端子２０１を介して受信されたディスクレコーダ１００からの受信データを、イーサネット送受信回路２０４を介して制御部２１１に供給する。この高速データラインＩ／Ｆ２０３の詳細は後述する。
【００６８】
なお、イーサネット送受信回路２０４には、ネットワーク端子２１３が接続されている。プロジェクタ２００は、このネットワーク端子２１３を利用して、イーサネットのネットワークに接続可能とされている。
【００６９】
この実施の形態において、プロジェクタ２００からディスクレコーダ１００に送信される送信データとして、受信映像信号の処理に関係する設定情報がある。制御部２１１は、受信映像信号の処理に関係する設定情報をイーサネット送受信回路２０４に出力し、この設定情報をディスクレコーダ１００に送信する。この設定情報は、上述のディスクレコーダ１００の説明にあるように、表示画像のアスペクト設定の情報、ノイズリダクションのオンオフ設定の情報等である。制御部２１１は、上述の設定情報を、例えば、定期的に、あるいは設定の変更があった場合等に、ディスクレコーダ１００に送信する。
【００７０】
また、この実施の形態において、プロジェクタ２００がディスクレコーダ１００から受信する受信データとして、ＨＤＭＩ受信部２０２からの受信映像信号に対応する画質調整情報がある。制御部２１１は、ディスクレコーダ１００から送られてくる映像信号に対応する画質調整情報を、イーサネット送受信回路２０４から取得する。この画質調整情報は、上述のディスクレコーダ１００の説明にあるように、受信映像信号のコンテンツ内容に対応した情報（例えば、色域、色温度およびガンマ特性の情報）、受信映像信号がアナログ放送の映像信号であるか否かを示す情報等である。
【００７１】
制御部１１１は、上述したようにディスクレコーダ１００から受信された画質調整情報に基づいて、映像信号処理部２１４および映像信号調整部２１５の動作を制御する。例えば、受信映像信号のコンテンツ内容に対応した情報が受信される場合、映像信号処理部２１４および映像信号調整部２１５の色域、色温度およびガンマ特性等の画質調整値が、受信映像信号のコンテンツ内容に対応したものに設定される。そして、映像信号調整部２１５は、受信映像信号に対して、そのコンテンツ内容に対応した画質調整を行う。また、例えば、受信映像信号がアナログ放送の映像信号であるか否かを示す情報が受信される場合、映像信号処理部２１４において、ノイズリダクションの処理が行われるように制御する。
【００７２】
映像信号処理部２１４は、ＨＤＭＩ受信部２０２で受信された受信映像信号を処理する。映像信号処理部２１４は、例えば、表示画像のアスペクト設定に対応するように、受信映像信号に対して間引き処理、スケーリング処理等を行う。なお、ユーザは、ユーザ操作部２１２の操作により、表示画像のアスペクト設定を行うことができる。例えば、ユーザは、表示部２１６に表示されるＧＵＩ画面を用いて、アスペクト設定を行うことができる。
【００７３】
また、映像信号処理部２１４は、例えば、受信映像信号に対して、ガンマ特性処理を行う。なお、ガンマ特性処理は、後述するように映像信号調整部２１５においても行われる。ガンマ特性は、映像信号処理部２１４および映像信号調整部２１５にガンマ特性処理に基づいて決まる。映像信号処理部２１４のガンマ特性処理は、ガンマ特性のテーブル設定を変えることで可変される。また、映像信号処理部２１４は、例えば、受信映像信号に対して、ノイズリダクション処理を行う。
【００７４】
映像信号調整部２１５は、映像信号処理部２１４で処理された受信画像信号に対して、色域処理、色温度処理、ガンマ特性処理を行う。映像信号調整部２１５は、各処理を、設定された色域、色温度、ガンマ特性の画質調整値に基づいて行う。なお、ユーザは、ユーザ操作部２１２の操作により、色域、色温度、ガンマ特性の画質調整値を設定できる。例えば、ユーザは、表示部２１６に表示されるＧＵＩ画面を用いて、色域、色温度、ガンマ特性の画質調整値の設定を行うことができる。
【００７５】
表示部２１６は、映像信号調整部２１５で画質調整された受信映像信号による画像を表示する。この表示部２１６は、例えば、ＬＣＤ（Liquid Crystal Display）、ＣＲＴ(Cathode RayTube)、ＬＣＯＳ（Liquid Crystal On Silicon）等で構成される。
【００７６】
［ＨＤＭＩ送信部およびＨＤＭＩ受信部の構成］
次に、ディスクレコーダ１００のＨＤＭＩ送信部１０２およびプロジェクタ２００のＨＤＭＩ受信部２０２の構成について説明する。図５は、ＨＤＭＩ送信部（ＨＤＭＩソース）１０２と、ＨＤＭＩ受信部（ＨＤＭＩシンク）２０２の構成例を示している。
【００７７】
ＨＤＭＩ送信部１０２は、有効画像区間（以下、適宜、アクティブビデオ区間ともいう）において、非圧縮の１画面分の画像の画素データ（映像信号）に対応する差動信号を、複数のチャネルで、ＨＤＭＩ受信部２０２に一方向に送信する。ここで、アクティブビデオ区間は、ある垂直同期信号から次の垂直同期信号までの区間より、水平帰線区間および垂直帰線区間を除いた区間である。また、ＨＤＭＩ送信部１０２は、水平帰線区間または垂直帰線区間において、少なくとも画像に付随する音声データや制御データ、その他の補助データ等に対応する差動信号を、複数のチャネルで、ＨＤＭＩ受信部２０２に一方向に送信する。
【００７８】
すなわち、ＨＤＭＩ送信部１０２は、トランスミッタ８１を有する。トランスミッタ８１は、例えば、非圧縮の画像の画素データを対応する差動信号に変換し、複数のチャネルである３つのＴＭＤＳチャネル＃０，＃１，＃２で、ＨＤＭＩ受信部２０２に一方向にシリアル伝送する。また、トランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩ受信部２０２に一方向にシリアル伝送する。
【００７９】
さらに、トランスミッタ８１は、３つのＴＭＤＳチャネル＃０，＃１，＃２で送信する画素データに同期したピクセルクロックを、ＴＭＤＳクロックチャネルで、ＨＤＭＩ受信部２０２に送信する。ここで、１つのＴＭＤＳチャネル＃ｉ（ｉ＝０，１，２）では、ピクセルクロックの１クロックの間に、１０ビットの画素データが送信される。
【００８０】
ＨＤＭＩ受信部２０２は、アクティブビデオ区間において、複数のチャネルで、ＨＤＭＩ送信部１０２から一方向に送信されてくる、画素データに対応する差動信号を受信する。また、ＨＤＭＩ受信部２０２は、水平帰線区間または垂直帰線区間において、複数のチャネルで、ＨＤＭＩ送信部１０２から一方向に送信されてくる、音声データや制御データに対応する差動信号を受信する。
【００８１】
すなわち、ＨＤＭＩ受信部２０２は、レシーバ８２を有する。レシーバ８２は、ＴＭＤＳチャネル＃０，＃１，＃２で送信されてくる画素データ、音声データおよび制御データに対応する差動信号を、ＴＭＤＳクロックチャネルで送信されてくるピクセルクロックに同期して受信する。
【００８２】
ＨＤＭＩシステムの伝送チャネルには、上述のＴＭＤＳチャネルおよびＴＭＤＳクロックチャネルの他に、ＤＤＣ（Display Data Channel）８３およびＣＥＣライン８４と呼ばれる伝送チャネルがある。ＣＥＣライン８４は、ＨＤＭＩケーブル３００に含まれる図示しない１本の信号線からなっている。このＣＥＣライン８４は、ＨＤＭＩ送信部１０２とＨＤＭＩ受信部２０２との間で、制御用のデータの双方向通信を行うために使用される。
【００８３】
ＤＤＣ８３は、ＨＤＭＩケーブル３００に含まれる図示しない２本の信号線からなっている。このＤＤＣ８３は、ＨＤＭＩ送信部１０２が、ＨＤＭＩ受信部２０２から、Ｅ−ＥＤＩＤ（Enhanced Extended Display Identification Data）を読み出すために使用される。
【００８４】
ＨＤＭＩ受信部２０２は、ＨＤＭＩレシーバ８２の他に、自身の性能（Configuration/capability）に関する性能情報であるＥ−ＥＤＩＤを記憶している、ＥＤＩＤ  ＲＯＭ８５を有している。ＨＤＭＩ送信部１０２は、Ｅ−ＥＤＩＤを、ＨＤＭＩ受信部２０２からＤＤＣ８３を介して読み出す。そして、ＨＤＭＩ送信部１０２は、そのＥ−ＥＤＩＤに基づき、例えば、ＨＤＭＩ受信部２０２を有するプロジェクタ２００が対応している画像のフォーマット（プロファイル）、例えば、ＲＧＢ、ＹＣbＣr４：４：４、ＹＣbＣr４：２：２等を認識する。
【００８５】
また、ＨＤＭＩケーブル３００には、ＨＰＤ(Hot Plug Detect)ライン８６が含まれている。ソース機器は、このＨＰＤライン８６を利用して、シンク機器の接続を検出することができる。また、ＨＤＭＩケーブル３００には、ソース機器からシンク機器に電源を供給するために用いられる電源ライン８７が含まれている。さらに、ＨＤＭＩケーブル３００には、リザーブライン８８が含まれている。
【００８６】
図６は、図５のＨＤＭＩトランスミッタ８１とＨＤＭＩレシーバ８２の構成例を示している。
【００８７】
トランスミッタ８１は、３つのＴＭＤＳチャネル＃０，＃１，＃２にそれぞれ対応する３つのエンコーダ／シリアライザ８１Ａ，８１Ｂ，８１Ｃを有する。エンコーダ／シリアライザ８１Ａ，８１Ｂ，８１Ｃのそれぞれは、そこに供給される画像データ、補助データ、制御データをエンコードし、パラレルデータからシリアルデータに変換して、差動信号により送信する。ここで、画像データが、例えばＲ（赤），Ｇ（緑），Ｂ（青）の３成分を有する場合、Ｂ成分はエンコーダ／シリアライザ８１Ａに供給され、Ｇ成分はエンコーダ／シリアライザ８１Ｂに供給され、Ｒ成分はエンコーダ／シリアライザ８１Ｃに供給される。
【００８８】
また、補助データとしては、例えば、音声データと、制御パケットがある。制御パケットは、例えば、エンコーダ／シリアライザ８１Ａに供給される。音声データは、エンコーダ／シリアライザ８１Ｂ，８１Ｃに供給される。さらに、制御データとしては、１ビットの垂直同期信号（VSYNC）、１ビットの水平同期信号（HSYNC）、および、それぞれ１ビットの制御ビットＣＴＬ０，ＣＴＬ１，ＣＴＬ２，ＣＴＬ３がある。垂直同期信号および水平同期信号は、エンコーダ／シリアライザ８１Ａに供給される。制御ビットＣＴＬ０，ＣＴＬ１はエンコーダ／シリアライザ８１Ｂに供給され、制御ビットＣＴＬ２，ＣＴＬ３はエンコーダ／シリアライザ８１Ｃに供給される。
【００８９】
エンコーダ／シリアライザ８１Ａは、そこに供給される画像データのＢ成分、垂直同期信号および水平同期信号、並びに補助データを、時分割で送信する。すなわち、エンコーダ／シリアライザ８１Ａは、そこに供給される画像データのＢ成分を、固定のビット数である８ビット単位のパラレルデータとする。さらに、エンコーダ／シリアライザ８１Ａは、そのパラレルデータをエンコードし、シリアルデータに変換して、ＴＭＤＳチャネル＃０で送信する。
【００９０】
また、エンコーダ／シリアライザ８１Ａは、そこに供給される垂直同期信号および水平同期信号の２ビットのパラレルデータをエンコードし、シリアルデータに変換して、ＴＭＤＳチャネル＃０で送信する。さらに、エンコーダ／シリアライザ８１Ａは、そこに供給される補助データを４ビット単位のパラレルデータとする。そして、エンコーダ／シリアライザ８１Ａは、そのパラレルデータをエンコードし、シリアルデータに変換して、ＴＭＤＳチャネル＃０で送信する。
【００９１】
エンコーダ／シリアライザ８１Ｂは、そこに供給される画像データのＧ成分、制御ビットＣＴＬ０，ＣＴＬ１、並びに補助データを、時分割で送信する。すなわち、エンコーダ／シリアライザ８１Ｂは、そこに供給される画像データのＧ成分を、固定のビット数である８ビット単位のパラレルデータとする。さらに、エンコーダ／シリアライザ８１Ｂは、そのパラレルデータをエンコードし、シリアルデータに変換して、ＴＭＤＳチャネル＃１で送信する。
【００９２】
また、エンコーダ／シリアライザ８１Ｂは、そこに供給される制御ビットＣＴＬ０，ＣＴＬ１の２ビットのパラレルデータをエンコードし、シリアルデータに変換して、ＴＭＤＳチャネル＃１で送信する。さらに、エンコーダ／シリアライザ８１Ｂは、そこに供給される補助データを４ビット単位のパラレルデータとする。そして、エンコーダ／シリアライザ８１Ｂは、そのパラレルデータをエンコードし、シリアルデータに変換して、ＴＭＤＳチャネル＃１で送信する。
【００９３】
エンコーダ／シリアライザ８１Ｃは、そこに供給される画像データのＲ成分、制御ビットＣＴＬ２，ＣＴＬ３、並びに補助データを、時分割で送信する。すなわち、エンコーダ／シリアライザ８１Ｃは、そこに供給される画像データのＲ成分を、固定のビット数である８ビット単位のパラレルデータとする。さらに、エンコーダ／シリアライザ８１Ｃは、そのパラレルデータをエンコードし、シリアルデータに変換して、ＴＭＤＳチャネル＃２で送信する。
【００９４】
また、エンコーダ／シリアライザ８１Ｃは、そこに供給される制御ビットＣＴＬ２，ＣＴＬ３の２ビットのパラレルデータをエンコードし、シリアルデータに変換して、ＴＭＤＳチャネル＃２で送信する。さらに、エンコーダ／シリアライザ８１Ｃは、そこに供給される補助データを４ビット単位のパラレルデータとする。そして、エンコーダ／シリアライザ８１Ｃは、そのパラレルデータをエンコードし、シリアルデータに変換して、ＴＭＤＳチャネル＃２で送信する。
【００９５】
レシーバ８２は、３つのＴＭＤＳチャネル＃０，＃１，＃２にそれぞれ対応する３つのリカバリ／デコーダ８２Ａ，８２Ｂ，８２Ｃを有する。そして、リカバリ／デコーダ８２Ａ，８２Ｂ，８２Ｃのそれぞれは、ＴＭＤＳチャネル＃０，＃１，＃２で差動信号により送信されてくる画像データ、補助データ、制御データを受信する。さらに、リカバリ／デコーダ８２Ａ，８２Ｂ，８２Ｃのそれぞれは、画像データ、補助データ、制御データを、シリアルデータからパラレルデータに変換し、さらにデコードして出力する。
【００９６】
すなわち、リカバリ／デコーダ８２Ａは、ＴＭＤＳチャネル＃０で差動信号により送信されてくる画像データのＢ成分、垂直同期信号および水平同期信号、補助データを受信する。そして、リカバリ／デコーダ８２Ａは、その画像データのＢ成分、垂直同期信号および水平同期信号、補助データを、シリアルデータからパラレルデータに変換し、デコードして出力する。
【００９７】
リカバリ／デコーダ８２Ｂは、ＴＭＤＳチャネル＃１で差動信号により送信されてくる画像データのＧ成分、制御ビットＣＴＬ０，ＣＴＬ１、補助データを受信する。そして、リカバリ／デコーダ８２Ｂは、その画像データのＧ成分、制御ビットＣＴＬ０，ＣＴＬ１、補助データを、シリアルデータからパラレルデータに変換し、デコードして出力する。
【００９８】
リカバリ／デコーダ８２Ｃは、ＴＭＤＳチャネル＃２で差動信号により送信されてくる画像データのＲ成分、制御ビットＣＴＬ２，ＣＴＬ３、補助データを受信する。そして、リカバリ／デコーダ８２Ｃは、その画像データのＲ成分、制御ビットＣＴＬ２，ＣＴＬ３、補助データを、シリアルデータからパラレルデータに変換し、デコードして出力する。
【００９９】
図７は、ＨＤＭＩの３つのＴＭＤＳチャネル＃０，＃１，＃２で各種の伝送データが伝送される伝送区間（期間）の例を示している。なお、図７は、ＴＭＤＳチャネル＃０，＃１，＃２において、横×縦が７２０×４８０画素のプログレッシブの画像が伝送される場合の、各種の伝送データの区間を示している。
【０１００】
ＨＤＭＩの３つのＴＭＤＳチャネル＃０，＃１，＃２で伝送データが伝送されるビデオフィールド（Video Field）には、伝送データの種類に応じて、ビデオデータ区間（VideoData period）、データアイランド区間（Data Island period）、およびコントロール区間（Control period）の３種類の区間が存在する。
【０１０１】
ここで、ビデオフィールド区間は、ある垂直同期信号の立ち上がりエッジ（activeedge）から次の垂直同期信号の立ち上がりエッジまでの区間である。このビデオフィールド区間は、水平ブランキング期間（horizontal blanking）、垂直ブランキング期間（verticalblanking）およびアクティブビデオ区間に割り当てられる。アクティブビデオ区間は、ビデオフィールド区間から、水平ブランキング期間および垂直ブランキング期間を除いた区間である。
【０１０２】
ビデオデータ区間は、アクティブビデオ区間に割り当てられる。このビデオデータ区間では、非圧縮の１画面分の画像データを構成する７２０画素×４８０ライン分の有効画素（Active pixel）のデータが伝送される。データアイランド区間およびコントロール区間は、水平ブランキング期間および垂直ブランキング期間に割り当てられる。このデータアイランド区間およびコントロール区間では、補助データ（Auxiliary data）が伝送される。すなわち、データアイランド区間は、水平ブランキング期間と垂直ブランキング期間の一部分に割り当てられている。
【０１０３】
データアイランド区間では、補助データのうち、制御に関係しないデータである、例えば、音声データのパケット等が伝送される。コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。ここで、現行のＨＤＭＩでは、ＴＭＤＳクロックチャネルで伝送されるピクセルクロックの周波数は、例えば１６５ＭＨｚであり、データアイランド区間の伝送レートは約５００Ｍbps程度である。
【０１０４】
図８は、ＨＤＭＩ端子１０１，２０１のピン配列を示している。このピン配列は、タイプＡ（type-A）の例である。
【０１０５】
ＴＭＤＳチャネル＃ｉの差動信号であるＴＭＤＳ  Ｄａｔａ＃ｉ＋とＴＭＤＳ  Ｄａｔａ＃ｉ−が伝送される差動線である２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【０１０６】
また、制御用のデータであるＣＥＣ信号が伝送されるＣＥＣライン８４は、ピン番号が１３であるピンに接続され、ピン番号が１４のピンは空き（Reserved）ピンとなっている。また、Ｅ−ＥＤＩＤ等のＳＤＡ(SerialData)信号が伝送されるラインは、ピン番号が１６であるピンに接続され、ＳＤＡ信号の送受信時の同期に用いられるクロック信号であるＳＣＬ(Serial Clock)信号が伝送されるラインは、ピン番号が１５であるピンに接続される。
【０１０７】
また、上述のＤＤＣ８３は、ＳＤＡ信号が伝送されるラインおよびＳＣＬ信号が伝送されるラインにより構成される。また、上述したようにソース機器がシンク機器の接続を検出するためのＨＰＤライン８６は、ピン番号が１９であるピンに接続される。また、上述したように電源を供給するための電源ライン８７は、ピン番号が１８であるピンに接続される。
【０１０８】
［高速データラインＩ／Ｆの構成］
次に、ディスクレコーダ１００の高速データラインＩ／Ｆ１０３およびプロジェクタ２００の高速データラインＩ／Ｆ２０３の構成について説明する。なお、ここでは、ディスクレコーダ１００をソース機器とし、プロジェクタ２００をシンク機器として説明する。
【０１０９】
図９は、ソース機器およびシンク機器の高速データラインＩ／Ｆの構成例を示している。この高速データラインＩ／Ｆは、ＬＡＮ(Local Area Network)通信を行う通信部を構成する。この通信部は、ＨＤＭＩケーブルに含まれる一対の差動伝送路により構成される双方向通信路を用いて通信を行う。この実施の形態において、一対の差動伝送路は、ＨＤＭＩケーブルを構成するリザーブラインおよびＨＰＤラインにより構成されている。
【０１１０】
ソース機器は、ＬＡＮ信号送信回路４１１、終端抵抗４１２、ＡＣ結合容量４１３，４１４、ＬＡＮ信号受信回路４１５および減算回路４１６を有している。また、ソース機器は、プルアップ抵抗４２１、ローパスフィルタを構成する抵抗４２２および容量４２３、比較器４２４、プルダウン抵抗４３１、ローパスフィルタを形成する抵抗４３２および容量４３３、並びに比較器４３４を有している。ここで、高速データラインＩ／Ｆは、ＬＡＮ信号送信回路４１１、終端抵抗４１２、ＡＣ結合容量４１３，４１４、ＬＡＮ信号受信回路４１５、減算回路４１６により構成されている。
【０１１１】
電源線（＋５．０Ｖ）と接地線との間には、プルアップ抵抗４２１、ＡＣ結合容量４１３、終端抵抗４１２、ＡＣ結合容量４１４およびプルダウン抵抗４３１の直列回路が接続される。ＡＣ結合容量４１３と終端抵抗４１２の互いの接続点Ｐ１は、ＬＡＮ信号送信回路４１１の正出力側に接続されると共に、ＬＡＮ信号受信回路４１５の正入力側に接続される。また、ＡＣ結合容量４１４と終端抵抗４１２の互いの接続点Ｐ２は、ＬＡＮ信号送信回路４１１の負出力側に接続されると共に、ＬＡＮ信号受信回路４１５の負入力側に接続される。ＬＡＮ信号送信回路４１１の入力側には、送信信号（送信データ）ＳＧ411が供給される。
【０１１２】
また、減算回路４１６の正側端子には、ＬＡＮ信号受信回路４１５の出力信号ＳＧ412が供給され、この減算回路４１６の負側端子には、送信信号（送信データ）ＳＧ411が供給される。この減算回路４１６では、ＬＡＮ信号受信回路４１５の出力信号ＳＧ412から送信信号ＳＧ411が減算され、受信信号（受信データ）ＳＧ413が得られる。
【０１１３】
また、プルアップ抵抗４２１およびＡＣ結合容量４１３の互いの接続点Ｑ１は、抵抗４２２および容量４２３の直列回路を介して接地線に接続される。そして、抵抗４２２および容量４２３の互いの接続点に得られるローパスフィルタの出力信号は比較器４２４の一方の入力端子に供給される。この比較器４２４では、ローパスフィルタの出力信号が他方の入力端子に供給される基準電圧Ｖref1（＋３．７５Ｖ）と比較される。この比較器４２４の出力信号ＳＧ414は、ソース機器の制御部（ＣＰＵ）に供給される。
【０１１４】
また、ＡＣ結合容量４１４およびプルダウン抵抗４３１の互いの接続点Ｑ２は、抵抗４３２および容量４３３の直列回路を介して接地線に接続される。そして、抵抗４３２および容量４３３の互いの接続点に得られるローパスフィルタの出力信号は比較器４３４の一方の入力端子に供給される。この比較器４３４では、ローパスフィルタの出力信号が他方の入力端子に供給される基準電圧Ｖref2（＋１．４Ｖ）と比較される。この比較器４３４の出力信号ＳＧ415は、ソース機器の制御部（ＣＰＵ）に供給される。
【０１１５】
シンク機器は、ＬＡＮ信号送信回路４４１、終端抵抗４４２、ＡＣ結合容量４４３，４４４、ＬＡＮ信号受信回路４４５、減算回路４４６、プルダウン抵抗４５１、ローパスフィルタを構成する抵抗４５２および容量４５３、比較器４５４、チョークコイル４６１、抵抗４６２、並びに抵抗４６３を有している。ここで、高速データラインインタフェース（高速データラインＩ／Ｆ）は、ＬＡＮ信号送信回路４４１、終端抵抗４４２、ＡＣ結合容量４４３，４４４、ＬＡＮ信号受信回路４４５、減算回路４４６により構成されている。
【０１１６】
電源線（＋５．０Ｖ）と接地線との間には、抵抗４６２および抵抗４６３の直列回路が接続される。そして、この抵抗４６２と抵抗４６３の互いの接続点と、接地線との間には、チョークコイル４６１、ＡＣ結合容量４４４、終端抵抗４４２、ＡＣ結合容量４４３およびプルダウン抵抗４５１の直列回路が接続される。
【０１１７】
ＡＣ結合容量４４３と終端抵抗４４２の互いの接続点Ｐ３は、ＬＡＮ信号送信回路４４１の正出力側に接続されると共に、ＬＡＮ信号受信回路４４５の正入力側に接続される。また、ＡＣ結合容量４４４と終端抵抗４４２の互いの接続点Ｐ４は、ＬＡＮ信号送信回路４４１の負出力側に接続されると共に、ＬＡＮ信号受信回路４４５の負入力側に接続される。ＬＡＮ信号送信回路４４１の入力側には、送信信号（送信データ）ＳＧ417が供給される。
【０１１８】
また、減算回路４４６の正側端子には、ＬＡＮ信号受信回路４４５の出力信号ＳＧ418が供給され、この減算回路４４６の負側端子には、送信信号ＳＧ417が供給される。この減算回路４４６では、ＬＡＮ信号受信回路４４５の出力信号ＳＧ418から送信信号ＳＧ417が減算され、受信信号（受信データ）ＳＧ419が得られる。
【０１１９】
また、プルダウン抵抗４５１およびＡＣ結合容量４４３の互いの接続点Ｑ３は、抵抗４５２および容量４５３の直列回路を介して接地線に接続される。そして、抵抗４５２および容量４５３の互いの接続点に得られるローパスフィルタの出力信号は比較器４５４の一方の入力端子に供給される。この比較器４５４では、ローパスフィルタの出力信号が他方の入力端子に供給される基準電圧Ｖref3（＋１．２５Ｖ）と比較される。この比較器４５４の出力信号ＳＧ416は、シンク機器の制御部（ＣＰＵ）に供給される。
【０１２０】
ＨＤＭＩケーブルに含まれるリザーブライン５０１およびＨＰＤライン５０２は、差動ツイストペアを構成している。リザーブライン５０１のソース側端５１１は、ソース機器のＨＤＭＩ端子の１４ピンに接続され、当該リザーブライン５０１のシンク側端５２１はシンク機器のＨＤＭＩ端子の１４ピンに接続される。また、ＨＰＤライン５０２のソース側端５１２はソース機器のＨＤＭＩ端子の１９ピンに接続され、当該ＨＰＤライン５０２のシンク側端５２２はシンク機器のＨＤＭＩ端子の１９ピンに接続される。
【０１２１】
ソース機器において、上述したプルアップ抵抗４２１とＡＣ結合容量４１３の互いの接続点Ｑ１は、ＨＤＭＩ端子の１４ピンに接続され、また、上述したプルダウン抵抗４３１とＡＣ結合容量４１４の互いの接続点Ｑ２はＨＤＭＩ端子の１９ピンに接続される。一方、シンク機器において、上述したプルダウン抵抗４５１とＡＣ結合容量４４３の互いの接続点Ｑ３はＨＤＭＩ端子の１４ピンに接続され、また、上述したチョークコイル４６１とＡＣ結合容量４４４の互いの接続点Ｑ４はＨＤＭＩ端子の１９ピンに接続される。
【０１２２】
次に、上述したように構成された、高速データラインＩ／ＦによるＬＡＮ通信の動作を説明する。
【０１２３】
ソース機器において、送信信号（送信データ）ＳＧ411はＬＡＮ信号送信回路４１１の入力側に供給され、このＬＡＮ信号送信回路４１１から送信信号ＳＧ411に対応した差動信号（正出力信号、負出力信号）が出力される。そして、ＬＡＮ信号送信回路４１１から出力される差動信号は、接続点Ｐ１，Ｐ２に供給され、ＨＤＭＩケーブルの一対の差動伝送路（リザーブライン５０１、ＨＰＤライン５０２）を通じて、シンク機器に送信される。
【０１２４】
また、シンク機器において、送信信号（送信データ）ＳＧ417はＬＡＮ信号送信回路４４１の入力側に供給され、このＬＡＮ信号送信回路４４１から送信信号ＳＧ417に対応した差動信号（正出力信号、負出力信号）が出力される。そして、ＬＡＮ信号送信回路４４１から出力される差動信号は、接続点Ｐ３，Ｐ４に供給され、ＨＤＭＩケーブルの一対の差動伝送路（リザーブライン５０１、ＨＰＤライン５０２）を通じて、ソース機器に送信される。
【０１２５】
また、ソース機器において、ＬＡＮ信号受信回路４１５の入力側は接続点Ｐ１，Ｐ２に接続されている。そのため、ＬＡＮ信号受信回路４１５の出力信号ＳＧ412として、ＬＡＮ信号送信回路４１１から出力された差動信号（電流信号）に対応した送信信号と、上述したようにシンク機器から送信されてくる差動信号に対応した受信信号との加算信号が得られる。減算回路４１６では、ＬＡＮ信号受信回路４１５の出力信号ＳＧ412から送信信号ＳＧ411が減算される。そのため、この減算回路４１６の出力信号ＳＧ413は、シンク機器の送信信号（送信データ）ＳＧ417に対応したものとなる。
【０１２６】
また、シンク機器において、ＬＡＮ信号受信回路４４５の入力側は接続点Ｐ３，Ｐ４に接続されている。そのため、ＬＡＮ信号受信回路４４５の出力信号ＳＧ418として、ＬＡＮ信号送信回路４４１から出力された差動信号（電流信号）に対応した送信信号と、上述したようにソース機器から送信されてくる差動信号に対応した受信信号との加算信号が得られる。減算回路４４６では、ＬＡＮ信号受信回路４４５の出力信号ＳＧ418から送信信号ＳＧ417が減算される。そのため、この減算回路４４６の出力信号ＳＧ419は、ソース機器の送信信号（送信データ）ＳＧ411に対応したものとなる。
【０１２７】
このように、ソース機器の高速データラインＩ／Ｆと、シンク機器の高速データラインＩ／Ｆとの間では、双方向のＬＡＮ通信を行うことができる。
【０１２８】
なお、図９において、ＨＰＤライン５０２は、上述のＬＡＮ通信の他に、ＤＣバイアスレベルで、ＨＤＭＩケーブルがシンク機器に接続されたことをソース機器に伝達する。すなわち、シンク機器内の抵抗４６２，４６３とチョークコイル４６１は、ＨＤＭＩケーブルがシンク機器に接続されるとき、ＨＰＤライン５０２を、ＨＤＭＩ端子の１９ピンを介して、約４Ｖにバイアスする。ソース機器は、ＨＰＤライン５０２のＤＣバイアスを、抵抗４３２と容量４３３からなるローパスフィルタで抽出し、比較器４３４で基準電圧Vref2（例えば、１．４Ｖ）と比較する。
【０１２９】
ソース機器のＨＤＭＩ端子の１９ピンの電圧は、ＨＤＭＩケーブルがシンク機器に接続されていなければ、プルダウン抵抗４３１が存在するために基準電圧Ｖref2より低く、逆に、ＨＤＭＩケーブルがシンク機器に接続されていれば基準電圧Ｖref2より高い。したがって、比較器４３４の出力信号ＳＧ415は、ＨＤＭＩケーブルがシンク機器に接続されているときは高レベルとなり、そうでないときは低レベルとなる。これにより、ソース機器の制御部（ＣＰＵ）は、比較器４３４の出力信号ＳＧ415に基づいて、ＨＤＭＩケーブルがシンク機器に接続されたか否かを認識できる。
【０１３０】
また、図９において、リザーブライン５０１のＤＣバイアス電位で、ＨＤＭＩケーブルの両端に接続された機器が、ＬＡＮ通信が可能な機器（以下、「ｅＨＤＭＩ対応機器」という）であるか、ＬＡＮ通信が不可能な機器（以下、「ｅＨＤＭＩ非対応機器」かを、相互に認識する機能を有している。
【０１３１】
上述したように、ソース機器はリザーブライン５０１を抵抗４２１でプルアップ（＋５Ｖ）し、シンク機器はリザーブライン５０１を抵抗４５１でプルダウンする。抵抗４２１，４５１は、ｅＨＤＭＩ非対応機器には存在しない。
【０１３２】
ソース機器は、上述したように、比較器４２４で、抵抗４２２および容量４２３からなるローパスフィルタを通過したリザーブライン５０１のＤＣ電位を基準電圧Ｖref1と比較する。シンク機器が、ｅＨＤＭＩ対応機器でプルダウン抵抗４５１があるときには、リザーブライン５０１の電圧が２．５Ｖとなる。しかし、シンク機器が、ｅＨＤＭＩ非対応機器でプルダウン抵抗４５１がないときには、リザーブライン５０１の電圧がプルアップ抵抗４２１の存在により５Ｖとなる。
【０１３３】
そのため、基準電圧Ｖref1が例えば３．７５Ｖとされることで、比較器４２４の出力信号ＳＧ414は、シンク機器がｅＨＤＭＩ対応機器であるときは低レベルとなり、そうでないときは高レベルとなる。これにより、ソース機器の制御部（ＣＰＵ）は、比較器４２４の出力信号ＳＧ414に基づいて、シンク機器がｅＨＤＭＩ対応機器であるか否かを認識できる。
【０１３４】
同様に、シンク機器は、上述したように、比較器４５４で、抵抗４５２および容量４５３からなるローパスフィルタを通過したリザーブライン５０１のＤＣ電位を基準電圧Ｖref3と比較する。ソース機器が、ｅＨＤＭＩ対応機器でプルアップ抵抗４２１があるときには、リザーブライン５０１の電圧が２．５Ｖとなる。しかし、ソース機器が、ｅＨＤＭＩ非対応機器でプルアップ抵抗４２１がないときには、リザーブライン５０１の電圧がプルダウン抵抗４５１の存在により０Ｖとなる。
【０１３５】
そのため、基準電圧Ｖref3が例えば１．２５Ｖとされることで、比較器４５４の出力信号ＳＧ416は、ソース機器がｅＨＤＭＩ対応機器であるときは高レベルとなり、そうでないときは低レベルとなる。これにより、シンク機器の制御部（ＣＰＵ）は、比較器４５４の出力信号ＳＧ416に基づいて、ソース機器がｅＨＤＭＩ対応機器であるか否かを認識できる。
【０１３６】
図９に示す構成例によれば、１本のＨＤＭＩケーブルで映像と音声のデータ伝送と接続機器情報の交換および認証と機器制御データの通信とＬＡＮ通信を行うインタフェースにおいて、ＬＡＮ通信が一対の差動伝送路を介した双方向通信で行われ、伝送路のうちの少なくとも片方のＤＣバイアス電位によってインタフェースの接続状態が通知されることから、物理的にＳＣＬライン、ＳＤＡラインをＬＡＮ通信につかわない空間的分離を行うことが可能となる。その結果、ＤＤＣに関して規定された電気的仕様と無関係にＬＡＮ通信のための回路を形成することができ、安定で確実なＬＡＮ通信が安価に実現できる。
【０１３７】
なお、図９に示したプルアップ抵抗４２１が、ソース機器内ではなく、ＨＤＭＩケーブル内に設けられているようにしてもよい。そのような場合、プルアップ抵抗４２１の端子のそれぞれは、ＨＤＭＩケーブル内に設けられたラインのうち、リザーブライン５０１、および電源（電源電位）に接続されるライン（信号線）のそれぞれに接続される。
【０１３８】
さらに、図９に示したプルダウン抵抗４５１および抵抗４６３がシンク機器内ではなく、ＨＤＭＩケーブル内に設けられているようにしてもよい。そのような場合、プルダウン抵抗４５１の端子のそれぞれは、ＨＤＭＩケーブル内に設けられたラインのうち、リザーブライン５０１、およびグランド（基準電位）に接続されるライン（グランド線）のそれぞれに接続される。また、抵抗４６３の端子のそれぞれは、ＨＤＭＩケーブル内に設けられたラインのうち、ＨＰＤライン５０２、およびグランド（基準電位）に接続されるライン（グランド線）のそれぞれに接続される。
【０１３９】
［画像表示システムの動作］
上述の図１（図２、図４）の画像表示システム５０の動作例を説明する。なお、音声系については、説明を省略する。
【０１４０】
ユーザが、映像信号（画像データ）を送信するようにディスクレコーダ１００を操作すると、コーデック１１７から映像信号処理部１２０に、送信すべき映像信号が供給される。ここで、送信すべき映像信号は、チューナ１１６あるいは外部端子１２１から供給される非圧縮の映像信号、またはコーデック１１７でデコードして得られた非圧縮の映像信号である。ユーザは、ユーザ操作部１１２を操作して、いずれかの映像信号を、送信すべき映像信号として選択できる。
【０１４１】
映像信号処理部１２０では、送信映像信号に対し、ディスクレコーダ１００に対するユーザ設定、あるいはプロジェクタ２００から送られてくる設定情報に基づいて、アスペクト変換処理、ノイズリダクション処理等の処理が行われる。映像信号処理部１２０から
出力される非圧縮の送信映像信号は、ＨＤＭＩ送信部１０２に供給される。このようにＨＤＭＩ送信部１０２に供給された映像信号は、ＨＤＭＩに準拠した通信により、ＨＤＭＩケーブル３００を介して、プロジェクタ２００に、一方向に、送信される。
【０１４２】
プロジェクタ２００では、ＨＤＭＩ受信部２０２により、ＨＤＭＩに準拠した通信により、ディスクレコーダ１００からＨＤＭＩケーブル３００を介して一方向に送信されてくる非圧縮の映像信号が受信される。ＨＤＭＩ受信部２０２で得られた受信映像信号は、映像信号処理部２１４に供給される。
【０１４３】
映像信号処理部２１４では、受信映像信号に対し、例えば、表示画像のアスペクト設定に対応した映像信号にするために、間引き処理、スケーリング処理等が行われる。また、映像信号処理部２１４では、ユーザのノイズリダクション設定、あるいはディスクレコーダ１００からの画質調整情報等に基づいて、ノイズリダクション処理が行われる。また、この映像信号処理部２１４では、設定されたガンマ特性に基づくガンマ特性処理が行われる。この映像信号処理部２１４で処理された映像信号は、映像信号調整部２１５に供給される。
【０１４４】
映像信号調整部２１５では、映像信号処理部２１４で処理された受信画像信号に対し、プロジェクタ２００に対するユーザ設定、あるいはディスクレコーダ１００からの画質調整情報等に基づいて、色域処理、色温度処理、ガンマ特性処理が行われる。この映像信号調整部２１５で画質調整された受信映像信号は表示部２１６に供給され、この表示部２１６にはその受信映像信号による画像が表示される。
【０１４５】
［送信映像信号に対応する画質調整情報の送信に係る動作］
次に、ディスクレコーダ１００からプロジェクタ２００への送信映像信号に対応する画質調整情報の送信に係る動作を説明する。
【０１４６】
ディスクレコーダ１００の制御部１１１からイーサネット送受信回路１０４に、定期的に、あるいは送信映像信号のコンテンツ内容が変更される場合等に、画質調整情報が出力される。画質調整情報は、上述したように、例えば、ＨＤＭＩ送信部１０２から送信される送信映像信号のコンテンツ内容に対応した情報、送信映像信号がアナログ放送の映像信号であるか否かを示す情報である。イーサネット送受信回路１０４からは、画質調整情報を含むイーサネット信号が出力される。このイーサネット信号は、高速データラインＩ／Ｆ１０３により、ＨＤＭＩ端子１０１からＨＤＭＩケーブル３００を介して、プロジェクタ２００に送信される。
【０１４７】
プロジェクタ２００の高速データラインＩ／Ｆ２０３により、ディスクレコーダ１００からＨＤＭＩケーブル３００を介して送られてくるイーサネット信号が、イーサネット送受信回路２０４に供給される。このイーサネット送受信回路２０４でイーサネット信号から取り出された画質調整情報は、制御部２１１に供給される。そして、制御部２１１により、この画質調整情報に基づいて、映像信号処理部２１４および映像信号調整部２１５の動作が制御される。
【０１４８】
例えば、画質調整情報が、ＨＤＭＩ受信部２０２で受信される受信映像信号のコンテンツ内容に対応した情報である場合、以下の制御動作が行われる。すなわち、映像信号処理部２１４および映像信号調整部２１５の色域、色温度およびガンマ特性等の画質調整値が、受信映像信号のコンテンツ内容に対応したものに設定される。映像信号調整部２１５では、受信映像信号に対して、そのコンテンツ内容に対応した画質調整処理、例えば色域処理、色温度処理およびガンマ特性処理等が行われる。また、例えば、画質調整情報が、受信映像信号がアナログ放送の映像信号であるか否かを示す情報である場合、映像信号処理部２１４では、受信映像信号がアナログ方法の映像信号であるときには、ノイズリダクション処理が行われる。
【０１４９】
［受信映像信号の処理に関係する設定情報の送信に係る動作］
次に、プロジェクタ２００からディスクレコーダ１００への受信映像信号の処理に関係する設定情報の送信に係る動作を説明する。
【０１５０】
プロジェクタ２００の制御部２１１からイーサネット送受信回路２０４に、定期的に、あるいは設定変更があった場合等に、設定情報が出力される。設定情報は、上述したように、例えば、表示画像のアスペクト設定の情報、ノイズリダクションのオンオフ設定の情報等である。イーサネット送受信回路２０４からは、設定情報を含むイーサネット信号が出力される。このイーサネット信号は、高速データラインＩ／Ｆ２０３により、ＨＤＭＩ端子２０１からＨＤＭＩケーブル３００を介して、ディスクレコーダ１００に送信される。
【０１５１】
ディスクレコーダ１００の高速データラインＩ／Ｆ１０３により、プロジェクタ２００からＨＤＭＩケーブル３００を介して送られてくるイーサネット信号が、イーサネット送受信回路１０４に供給される。このイーサネット送受信回路１０４でイーサネット信号から取り出された設定情報は、制御部１１１に供給される。そして、制御部１１１により、この設定情報に基づいて、映像信号処理部１２０の動作が制御される。
【０１５２】
例えば、受信された設定情報が表示画像のアスペクト設定の情報である場合、映像信号処理部１２０において、送信映像信号のアスペクトを表示画像のアスペクトに対応させる処理が行われる。また、例えば、受信された設定情報がノイズリダクションのオフ設定情報である場合、送信映像信号がアナログ放送の映像信号であるとき、映像信号処理部１２０において、ノイズリダクション処理が行われる。
【０１５３】
上述したように、図１に示す画像表示システム５０においては、ディスクレコーダ１００からプロジェクタ２００に、送信映像信号に対応する画質調整情報が、送信される。そのため、プロジェクタ２００においては、この画質調整情報に基づいて、送信されてくる映像信号、つまり受信映像信号に合った画質調整設定を自動的に行うことができる。したがって、ユーザは、プロジェクタ２００において、受信映像信号のコンテンツ内容の変更があったとき、そのコンテンツ内容に合うように、色域、色温度、ガンマ特性等の画質調整値を設定しなくてよくなり、ユーザの設定手間を軽減できる。また、プロジェクタ２００において、コンテンツ内容に合った画質調整を常に実現できる。
【０１５４】
また、図１に示す画像表示システム５０においては、画質調整情報は、映像信号の送信に使用されるＨＤＭＩケーブル（伝送路）に含まれる一対の差動伝送路（リザーブライン、ＨＰＤライン）により構成される通信路を介して送信される。そのため、画質調整情報を送信するために別個のケーブル等を用意する必要がなく、コストの増加、接続の複雑化を回避できる。
【０１５５】
また、図１に示す画像表示システム５０においては、プロジェクタ２００からディスクレコーダ１００に、映像信号処理部２１４における映像信号に関係する設定情報が送信される。そのため、ディスクレコーダ１００においては、その設定情報に基づいて、自動的に、プロジェクタ２００への送信映像信号に対する処理を変更できる。したがって、ユーザは、プロジェクタ２００において受信映像信号に対する処理の設定変更があったとき、その設定に合うように、ディスクレコーダ１００において送信映像信号に対する処理の設定変更を行うことが必要なく、ユーザの設定手間を軽減できる。
【０１５６】
例えば、ユーザによりプロジェクタ２００において表示画像のアスペクト設定が行われた場合、ディスクレコーダ１００ではその設定情報に基づいて、送信映像信号のアスペクトを自動的にプロジェクタ２００における設定アスペクトに対応させることができる。これにより、プロジェクタ２００における間引き処理、スケーリング処理等の処理も容易となる。また、例えば、ユーザによりプロジェクタ２００においてノイズリダクションのオフ設定が行われた場合、ディスクレコーダ１００ではその設定情報に基づいて、例えばアナログ放送の映像信号に対して、自動的に、ノイズリダクション処理が行われて、ノイズが除去される。
【０１５７】
また、図１に示す画像表示システム５０においては、設定情報は、映像信号の送信に使用されるＨＤＭＩケーブル（伝送路）に含まれる一対の差動伝送路（リザーブライン、ＨＰＤライン）により構成される通信路を介して送信される。そのため、設定情報を送信するために別個のケーブル等を用意する必要がなく、コストの増加、接続の複雑化を回避できる。
【０１５８】
＜２．第２の実施の形態＞  ［画像表示システムの構成］
図１０は、第２の実施の形態としての画像表示システム５０Ａの構成例を示している。この画像表示システム５０Ａは、ソース機器としてのパーソナルコンピュータ１００Ａと、シンク機器としてのプロジェクタ２００により構成されている。この図１０において、図１と対応する部分には同一符号を付し、適宜、その詳細説明は省略する。
【０１５９】
ここで、パーソナルコンピュータ１００Ａは送信装置を構成し、プロジェクタ２００は表示装置を構成している。この画像表示システム５０Ａにおいて、パーソナルコンピュータ１００Ａおよびプロジェクタ２００はｅＨＤＭＩ対応機器である。ここで、ｅＨＤＭＩ対応機器であるとは、ＨＤＭＩケーブルを構成する一対の差動伝送路（例えば、リザーブラインおよびＨＰＤライン）により構成される通信路を用いた通信が可能であることを意味する。
【０１６０】
パーソナルコンピュータ１００Ａおよびプロジェクタ２００は、ＨＤＭＩケーブル３００を介して接続されている。ここで、ＨＤＭＩケーブル３００は、伝送路を構成している。すなわち、パーソナルコンピュータ１００ＡはＨＤＭＩ端子１０１を備えており、プロジェクタ２００はＨＤＭＩ端子２０１を備えている。ＨＤＭＩケーブル３００の一端はパーソナルコンピュータ１００ＡのＨＤＭＩ端子１０１に接続され、このＨＤＭＩケーブル３００の他端はプロジェクタ２００のＨＤＭＩ端子２０１に接続されている。
【０１６１】
パーソナルコンピュータ１００Ａは、ＨＤＭＩ端子１０１に接続された、ＨＤＭＩ送信部１０２および高速データラインインタフェース（Ｉ／Ｆ）１０３を有している。高速データラインＩ／Ｆ１０３には、イーサネット送受信回路１０４が接続されている。ＨＤＭＩ送信部１０２は、ＨＤＭＩに準拠した通信により、非圧縮（ベースバンド）の映像（画像）と音声のデータを、ＨＤＭＩ端子１０１から送出する。
【０１６２】
図１０に示す画像表示システム５０Ａの動作を説明する。パーソナルコンピュータ１００Ａからプロジェクタ２００に送信すべき映像および音声のデータは、ＨＤＭＩに準拠した通信により、パーソナルコンピュータ１００ＡのＨＤＭＩ送信部１０２からＨＤＭＩケーブル３００を介してプロジェクタ２００に送信される。また、プロジェクタ２００のＨＤＭＩ受信部２０２では、ＨＤＭＩに準拠した通信により、パーソナルコンピュータ１００ＡからＨＤＭＩケーブル３００を介して送られてくる映像および音声のデータが受信される。プロジェクタ２００では、受信された映像および音声のデータにより画像表示および音声出力が行われる。
【０１６３】
また、パーソナルコンピュータ１００Ａのイーサネット送受信回路１０４と、プロジェクタ２００のイーサネット送受信回路２０４との間で、ＨＤＭＩケーブル３００を介して、インターネットプロトコル（ＩＰ）に準拠した双方向通信が行われる。
【０１６４】
この実施の形態において、パーソナルコンピュータ１００Ａには、プロジェクタ用画質調整ツールがインストールされている。このパーソナルコンピュータ１００Ａのイーサネット送受信回路１０４からプロジェクタ２００のイーサネット送受信回路２０４には、プロジェクタ用画質調整ツールで発生された画質調整情報が送られる。この画質調整情報は、例えば、色域、色温度、ガンマ特性等の情報である。プロジェクタ２００においては、イーサネット送受信回路２０４で受信された上述の画質調整情報に基づいて、図示しない受信映像信号の処理部における画質調整値の設定が行われる。
【０１６５】
［パーソナルコンピュータの構成］
図１１は、パーソナルコンピュータ１００Ａの構成例を示している。パーソナルコンピュータ１００Ａは、ＨＤＭＩ端子１０１と、ＨＤＭＩ送信部１０２と、高速データラインＩ／Ｆ１０３と、イーサネット送受信回路１０４を有している。また、パーソナルコンピュータ１００Ａは、ＣＰＵ（Central Processing Unit）１３１と、ＲＯＭ（Read OnlyMemory）１３２と、ＲＡＭ（Random Access Memory）１３３と、バス１３４を有している。また、パーソナルコンピュータ１００Ａは、入出力インタフェース１３５と、入力部１３６と、出力部１３７と、記憶部１３８と、ドライブ１３９と、ネットワーク端子１４０を有している。
【０１６６】
このパーソナルコンピュータ１００Ａにおいて、ＣＰＵ１３１、ＲＯＭ１３２、ＲＡＭ１３３は、バス１３４により相互に接続されている。バス１３４には、さらに、入出力インタフェース１３５が接続されている。入出力インタフェース１３５には、入力部１３６、出力部１３７、記憶部１３８、ドライブ１３９およびＨＤＭＩ送信部（ＨＤＭＩ  ＴＸ）１０２が接続されている。
【０１６７】
入力部１３６は、キーボード、マウス、マイクロホン等により構成されている。出力部１３７は、ディスプレイ、スピーカ等により構成されている。記憶部１３８は、ＨＤＤ(Hard Disk Drive)、不揮発性メモリ等により構成されている。ドライブ１３９は、磁気ディスク、光ディスク、光磁気ディスク、あるいはメモリカード等のリムーバブルメディアを駆動する。
【０１６８】
また、バス１３４には、イーサネット送受信回路１０４が接続されている。このイーサネット送受信回路１０４には、ネットワーク端子１４０と、高速データラインＩ／Ｆ１０３が接続されている。
【０１６９】
図１１に示すように構成されたパーソナルコンピュータ１００Ａでは、ＣＰＵ１３１が、例えば、記憶部１３８に記憶されているプログラムを、入出力インタフェース１３５およびバス１３４を介して、ＲＡＭ１３３にロードして実行する。記憶部１３８には、上述したプロジェクタ用画質調整ツールがインストールされている。
【０１７０】
ＨＤＭＩ送信部１０２は、ＨＤＭＩに準拠した通信により、パーソナルコンピュータ１００Ａの画像表示用の非圧縮の映像信号を、ＨＤＭＩケーブル３００を介して、プロジェクタ２００に一方向に送信する。
【０１７１】
高速データラインＩ／Ｆ１０３は、上述したようにＨＤＭＩケーブル３００に含まれる一対の差動伝送路（リザーブラインおよびＨＰＤライン）により構成される通信路を用いた双方向通信のインタフェースである。この高速データラインＩ／Ｆ１０３は、イーサネット送受信回路１０４とＨＤＭＩ端子１０１との間に挿入されている。
【０１７２】
この高速データラインＩ／Ｆ１０３は、ＣＰＵ１３１からイーサネット送受信回路１０４を介して供給される送信データを、ＨＤＭＩ端子１０１からＨＤＭＩケーブル３００を介して、プロジェクタ２００に送信する。また、この高速データラインＩ／Ｆ１０３は、ＨＤＭＩケーブル３００からＨＤＭＩ端子１０１を介して受信されたプロジェクタ２００からの受信データを、イーサネット送受信回路１０４を介してＣＰＵ１３１に供給する。  なお、イーサネット送受信回路１０４には、ネットワーク端子１４０が接続されている。パーソナルコンピュータ１００Ａは、このネットワーク端子１４０を利用して、イーサネットのネットワークに接続可能とされている。
【０１７３】
パーソナルコンピュータ１００Ａのイーサネット送受信回路１０４と、プロジェクタ２００のイーサネット送受信回路２０４との間で、ＨＤＭＩケーブル３００を介して、インターネットプロトコル（ＩＰ）に準拠した双方向通信が行われる。
【０１７４】
この実施の形態において、パーソナルコンピュータ１００Ａには、上述したようにプロジェクタ用画質調整ツールがインストールされている。パーソナルコンピュータ１００Ａからプロジェクタ２００に送信される送信データとして、上述のプロジェクタ用画質調整ツールで発生された画質調整情報がある。ＣＰＵ１３１は、この画質調整情報をイーサネット送受信回路１０４に出力し、この画質調整情報をイーサネット信号に含めてプロジェクタ２００に送信する。この画質調整情報は、例えば、色域、色温度、ガンマ特性等の情報である。
【０１７５】
［画像表示システムの動作］
上述の図１０（図１１、図４）の画像表示システム５０Ａの動作例を説明する。なお、音声系については、説明を省略する。
【０１７６】
パーソナルコンピュータ１００Ａの画像表示用の映像信号は、入出力インタフェース１３５を介してＨＤＭＩ送信部１０２に供給される。このようにＨＤＭＩ送信部１０２に供給された映像信号は、ＨＤＭＩに準拠した通信により、ＨＤＭＩケーブル３００を介して、プロジェクタ２００に、一方向に、送信される。
【０１７７】
プロジェクタ２００では、ＨＤＭＩ受信部２０２により、ＨＤＭＩに準拠した通信により、パーソナルコンピュータ１００ＡからＨＤＭＩケーブル３００を介して一方向に送信されてくる非圧縮の映像信号が受信される。ＨＤＭＩ受信部２０２で得られた受信映像信号は、映像信号処理部２１４に供給される。この映像信号処理部２１４では、受信映像信号に対し、例えば、表示画像のアスペクト設定に対応した映像信号にするために、間引き処理、スケーリング処理等が行われる。この映像信号処理部２１４で処理された映像信号は、映像信号調整部２１５に供給される。
【０１７８】
映像信号調整部２１５では、映像信号処理部２１４で処理された受信画像信号に対し、プロジェクタ２００に対するユーザ設定、あるいはパーソナルコンピュータ１００Ａからの画質調整情報等に基づいて、色域処理、色温度処理、ガンマ特性処理等が行われる。この映像信号調整部２１５で画質調整された受信映像信号は表示部２１６に供給され、この表示部２１６にはパーソナルコンピュータ１００Ａのその受信映像信号によるパーソナルコンピュータ１００Ａの画像が表示される。
【０１７９】
［画質調整情報の送信に係る動作］
次に、パーソナルコンピュータ１００Ａからプロジェクタ２００へのプロジェクタ用画質調整ツールで発生された画質調整情報の送信に係る動作を説明する。
【０１８０】
パーソナルコンピュータ１００Ａにおいて、プロジェクタ用画質調整ツールの起動時には、ユーザ操作に応じて、ＣＰＵ１３１からイーサネット送受信回路１０４に、画質調整情報が出力される。イーサネット送受信回路１０４からは、画質調整情報を含むイーサネット信号が出力される。このイーサネット信号は、高速データラインＩ／Ｆ１０３により、ＨＤＭＩ端子１０１からＨＤＭＩケーブル３００を介して、プロジェクタ２００に送信される。
【０１８１】
プロジェクタ２００の高速データラインＩ／Ｆ２０３により、パーソナルコンピュータ１００ＡからＨＤＭＩケーブル３００を介して送られてくるイーサネット信号が、イーサネット送受信回路２０４に供給される。このイーサネット送受信回路２０４でイーサネット信号から取り出された画質調整情報は、制御部２１１に供給される。そして、制御部２１１により、この画質調整情報に基づいて、映像信号処理部２１４および映像信号調整部２１５に、色域、色温度、ガンマ特性等の画質調整値が設定される。
【０１８２】
上述したように、図１０に示す画像表示システム５０Ａにおいては、パーソナルコンピュータ１００Ａからプロジェクタ２００に、プロジェクタ用画質調整ツールで発生された画質調整情報が、送信される。この画質調整情報は、映像信号の送信に使用されるＨＤＭＩケーブル（伝送路）に含まれる一対の差動伝送路（リザーブライン、ＨＰＤライン）により構成される通信路を介して送信される。そのため、画質調整情報を送信するために別個のケーブル、例えばＲＳ２３２Ｃケーブル、イーサ（ＲＪ４５）ケーブル等を用意する必要がなく、コストの増加、接続の複雑化、接続の煩わしさを回避できる。
【０１８３】
＜３．変形例＞
なお、上述実施の形態において、画質調整情報、設定情報を、ＨＤＭＩケーブルに含まれる一対の差動伝送路（例えば、リザーブライン、ＨＰＤライン）で構成される通信路を介して、ソース機器とシンク機器の間で伝送する例を示した。しかし、通信路としては、ＨＤＭＩケーブルの制御データラインであるＣＥＣラインを用いることも可能である。
【０１８４】
また、上述実施の形態において、送信装置がディスクレコーダ、あるいはパーソナルコンピュータで、表示装置がプロジェクタである例を示した。しかし、送信装置および表示装置は、これらの機器に限定されない。その他の送信装置および表示装置で構成される画像表示システムにも、この発明を同様に適用できる。
【０１８５】
また、上述実施の形態においては、各機器を接続する伝送路として、ＨＤＭＩ規格のインタフェースを前提として説明したが、その他の同様な伝送規格にも適用できることは勿論である。
【産業上の利用可能性】
【０１８６】
この発明は、ユーザの設定手間を軽減して使い勝手の向上を図るものであり、送信装置および表示装置がＨＤＭＩインタフェースにより接続されたプロジェクタシステム等の画像表示システム等に適用できる。
【符号の説明】
【０１８７】
５０，５０Ａ・・・画像表示システム、１００・・・ディスクレコーダ、１００Ａ・・・パーソナルコンピュータ、１０１・・・ＨＤＭＩ端子、１０２・・・ＨＤＭＩ送信部、１０３・・・高速データラインインタフェース、１０４・・・イーサネット送受信回路、１１１・・・制御部、１１２・・・ユーザ操作部、１１３・・・表示部、１１４・・・ネットワーク端子、１１５・・・アンテナ端子、１１６・・・チューナ、１１７・・・コーデック、１１８・・・記録再生部、１１９・・・記録媒体、１２０・・・映像信号処理部、１２１・・・外部端子、２００・・・プロジェクタ、２０１・・・ＨＤＭＩ端子、２０２・・・ＨＤＭＩ受信部、２０３・・・高速データラインインタフェース、２０４・・・イーサネット送受信回路、２１１・・・制御部、２１２・・・ユーザ操作部、２１３・・・ネットワーク端子、２１４・・・映像信号処理部、２１５・・・映像信号調整部、２１６・・・表示部、３００・・・ＨＤＭＩケーブル
【図１】
2010246057.tif 000003
【図２】
2010246057.tif 000004
【図３】
2010246057.tif 000005
【図４】
2010246057.tif 000006
【図５】
2010246057.tif 000007
【図６】
2010246057.tif 000008
【図７】
2010246057.tif 000009
【図８】
2010246057.tif 000010
【図９】
2010246057.tif 000011
【図１０】
2010246057.tif 000012
【図１１】
2010246057.tif 000013